(57)【要約】【課題】コンパクトで丸みを帯びた外装カバーを有する低コストなカメラを提供する。【解決手段】マイナス電極端子６０とプラス電極端子６８とからなる電極端子対と、プラス電極端子６２とマイナス電極端子７０とからなる電極端子対とがカメラ本体の底部で被写体側から像面側に向かう方向に配列している。マイナス電極端子６０とプラス電極端子６２とは、一枚のリジッド回路基板であってハンダ付け面を被写体側に向けた回路基板５０の下端部でハンダ付けされている。回路基板を基にしてコンデンサ８０は手前側にハンダ付けされ、ストロボ用メインコンデンサ８２は奥側に配置されてハンダ付けされている。【選択図】        図４
2004295041.tif 000002
【特許請求の範囲】
【請求項１】
パトローネを装填するためのパトローネ室と、写真フイルムを巻き取るスプールが備えられたフイルム室と、所定の光軸を有する撮影レンズと、回路部品を実装する回路基板とを有するカメラにおいて、
円柱形状をした電池の両端にあるプラス電極とマイナス電極にそれぞれ接触し、一方の電極端子がパトローネ室側に配置され、他方の電極端子がフイルム室側に配置された電極端子対を、カメラ本体の底部であって被写体側から像面側に向かう方向に複数配列したことを特徴とするカメラ。
【請求項２】
前記回路基板は、前記回路部品をハンダ付けしたハンダ付け面が被写体側を向いた一枚のリジッド回路基板であることを特徴とする請求項１に記載のカメラ。
【請求項３】
前記電極端子対は２対であって前記回路基板を基にして手前側の電極端子対と奥側の電極端子対とからなり、この２対の電極端子対のパトローネ室側の電極端子とフイルム室側の電極端子とのうち、どちらか一方を前記回路基板の下端部に設けたことを特徴とする請求項１または２に記載のカメラ。
【請求項４】
前記回路部品は、前記回路基板を基にして手前側に設けられた第１回路部品と、回路基板を基にして奥側に設けられた第２回路部品とからなることを特徴とする請求項１から３にいずれか一つ記載のカメラ。
【発明の詳細な説明】
【０００１】
【発明の属する技術分野】
本発明は、カメラに関し、更に詳しくは、複数対の電極端子をカメラ本体の底部に備えたカメラに関するものである。
【０００２】
【従来の技術】
写真フイルムを用いて撮影を行なうカメラをコンパクトにする工夫はよく行なわれており、このため、カメラの携帯性や取り扱い易さは向上している。このような写真フイルムを装填して撮影を行なうコンパクトなカメラでは、カメラ本体とこのカメラ本体を覆う外装カバーとからなり、カメラ本体には未使用の写真フイルムを収めたパトローネを装填するパトローネ室と、写真フイルムを巻き取るスプールが備えられたフイルム室とが設けられている。パトローネ室とフイルム室との間のスペースには、撮影レンズやフイルムゲートが形成された暗箱、回路基板と回路部品とからなる回路ユニットなどが適宜組み込まれている。回路基板に接続して回路基板に電力を供給する乾電池は、パトローネ室の外側、あるいはフイルム室の外側に格納されるようになっており、円柱形状をした乾電池の側面がパトローネ室、あるいはフイルム室の壁面に沿うように格納される。外装カバーはカメラ本体を覆うために、カメラ本体の概形に合わせて正面が長方形をしたものが用いられている。
【０００３】
このようなカメラでは、プラスチック一体成形による部品点数や組み付け作業の削減、部品の肉薄化などによって構造を簡略化することでコンパクト化を図っている。また、回路基板にフレキシブル回路基板を用いたものもある。このフレキシブル回路基板は、撓ませてカメラ内に組み込むことが可能であり、このためカメラ本体と外装カバーとの間に形成されるスペースをより有効に使用することに成功している。
【０００４】
【発明が解決しようとする課題】
しかしながら、パトローネ室の外側、あるいはフイルム室の外側に電池の格納室が設けられたカメラ本体に、正多角形、もしくはこれに類する形状をした外装カバーを装着しようとすると、カメラ本体の横幅を満たすサイズの外装カバーを装着しなければならず、カメラ本体と外装カバーとの間に無駄なスペースが生じてしまいカメラのサイズが大型化してしまうという問題がある。また、電池格納室をパトローネ室、あるいはフイルム室の横に設けてしまうと、電池と電力の供給先である回路基板とが離れるために、送電用の導線が長くなり、導線の配置や送電ロスの問題も生じる。また、回路基板にコストの高いフレキシブル回路基板を用いると、これを組み込んだカメラの値段も上昇してしまうという問題もある。
【０００５】
本発明は、上記に事情に鑑みてなされたのもであり、その目的はコンパクトで正多角形、もしくはこれに類した外装カバーを有する低コストなカメラを提供することにある。
【０００６】
【課題を解決するための手段】
上記目的を達成するために、本発明のカメラでは、パトローネを装填するためのパトローネ室と、写真フイルムを巻き取るスプールが備えられたフイルム室と、所定の光軸を有する撮影レンズと、回路基板と回路部品とからなる回路ユニットとを有するカメラにおいて、円柱形状をした電池の両端にあるプラス電極とマイナス電極にそれぞれ接触し、一方の電極端子がパトローネ室側に配置され、他方の電極端子がフイルム室側に配置された電極端子対を、カメラ本体の底部であって被写体側から像面側に向かう方向に複数配列するようにした。
【０００７】
また、カメラ本体の構造の簡素化や、ハンダ付けの点数、コストを削減するために、回路部品をハンダ付けしたハンダ付け面が被写体側を向いた一枚のリジッド回路基板を用いるようにした。
【０００８】
また、電極端子対は２対であって回路基板を基にして手前側の電極端子対と奥側の電極端子対とからなり、パトローネ室側の電極端子とフイルム室側の電極端子とのうち、どちらか一方の側の電極端子を回路基板の下端部に設けるようにした。
【０００９】
また、カメラ本体の底部に被写体方向から像面方向に向かって配列された複数の電極端子対に沿って回路部品を配置してカメラ本体をコンパクトにするために、回路部品は、回路基板を基にして手前側に設けられた第１回路部品と、回路基板を基にして奥側に設けられた第２回路部品とからなるようにした。
【００１０】
【発明の実施の形態】
図１に本発明を実施したカメラの斜視図を示す。カメラ２を正面から観察すると正四角形に類した形をしており、カメラ２の前面の中央には、所定の光軸を有した撮影レンズ５が配置されている。撮影レンズ５の上方には対物ファインダ７が備えられており、ユーザはカメラ２の背面に備えられた接眼ファインダ９を覗き込んで被写体を確認することができる。
【００１１】
対物ファインダ７の隣にはストロボ発光部１１が備えられており、ストロボスイッチ１３をスライドさせて切り替えることで発光を行なうための充電動作が開始される。カメラ２の前面と背面との間には、シャッタボタン１６が設けられ、このボタンを押下するとシャッタ板が退避して写真フイルムが露光する。
【００１２】
図２にカメラ２の分解斜視図を示す。カメラ２は、前カバー３３と裏蓋３５とからなる外装カバーと、カメラ本体２０とからなっている。カメラ本体２０は、回路ユニット２４と、ストロボ発光部１１と、レンズユニット２７と、電池格納ユニット３０とを、本体ベース２１に組み付けたものである。
【００１３】
本体ベース２１には、１３５タイプのフイルムを収めたパトローネを格納するパトローネ室３８とパトローネから送付されるフイルムをロールして納めるフイルム室３９とが設けられている。また、本体ベース２１に形成されたパトローネ室３８とフイルム室３９との間には、暗箱４１とレンズユニット２７とからなる露光ユニットが設けられ、暗箱４１の被写体側には光を取り入れる開口が形成され、暗箱４１の像面側には写真フイルムの露光範囲を決定するアパーチャ枠（図示省略）が形成されている。
【００１４】
暗箱４１の頭上には、写真フイルムを１コマ巻き上げするためのフイルム巻き上げ機構が備えられており、ノブ４３を回動させることでフイルム巻き上げ機構が動作する。ノブ４３の隣には、シャッタボタン１６が備えられており、シャッタボタン１６を押下すると、これに連動してシャッタ板４５が、閉じ位置から開き位置に往復移動する。
【００１５】
レンズユニット２７には撮影レンズ５が嵌め込まれており、レンズユニット２７は暗箱４１の上から本体ベース２１の所定位置に取り付けられる。レンズユニット２７と本体ベース２１との間には、シャッタ板４５を組み付けるためのスペースが形成されており、シャッタ板４５はシャッタ開口４７を塞ぐ閉じ位置と、シャッタ開口４７を開放する開き位置との間で移動可能に設けられ、常時は閉じ位置にある。
【００１６】
回路ユニット２４は、リジッドな回路基板である回路基板５０と回路部品とからなり、回路基板５０は、回路部品をハンダ付けしたハンダ付け面を被写体側に向けて、本体ベース２１の暗箱４１の周囲にネジ止めされる。回路基板５０にはストロボ回路や、写真フイルムを送付するためのモータの駆動を制御する駆動回路等が設けられており、ストロボスイッチ１３をオン位置にスライドさせることで、ストロボ発光部１１を発光させるための充電動作が開始される。
【００１７】
回路基板５０の下端部にはマイナス電極端子６０とプラス電極端子６２とがハンダ付けされており、それぞれの電極端子は電池格納箱６４に組み付けられている。電池格納箱６４にはフイルム室の底壁７４が形成されており、底壁７４はフイルム室３９に嵌め込まれるようになっている。
【００１８】
電池格納ユニット３０は電池格納箱６４と蓋７７とからなり、電池格納箱６４は、単４形の乾電池２本を格納できるようになっている。電池格納箱のパトローネ室側の壁面にはマイナス電極端子６０と、プラス電極端子６２とが嵌め込まれている。電池格納箱のフイルム室側の壁面には、マイナス電極端子６０と対面するプラス電極端子６８と、プラス電極端子６２と対面するマイナス電極端子７０とが取り付けられ、プラス電極端子６８とマイナス電極端子７０とは接続している。このため電池格納箱６４に装填された単４形電池２本は直列に接続する。また、電池格納箱６４には蓋７７が設けられており、装填された電池を覆うことでカメラ２の外観を向上させている。
【００１９】
図３にカメラ本体に裏蓋を取り付けた説明図を示す。回路基板５０はＵ字型をしており、Ｕ字形をした回路基板の内周側にレンズユニット２７が位置している。電池格納箱６４は、電池格納箱に形成された底壁７４がフイルム室３９に嵌め込まれており、カメラ本体２０の底部にある。電池格納箱６４の被写体側の壁面の一部は、回路基板５０の部品面の下端部と対面している。
【００２０】
電池格納箱６４では、マイナス電極端子６０とプラス電極端子６２とがパトローネ側の壁面に設けられ、プラス電極端子６８とマイナス電極端子７０とがフイルム側の壁面に設けられている。これら２対の電極端子は被写体側から像面側に向かう方向に沿って配列しており、マイナス電極端子６０、７０とプラス電極端子６２、６８との間にはそれぞれ単４形の乾電池が装填される。
【００２１】
図４に回路部品がハンダ付けされた回路基板と、露光ユニットと、電極端子との位置を示す説明図を示す。レンズユニット２７は本体２０に成形された暗箱４１に取り付けられ、回路基板５０は本体ベース２１の所定の位置にネジ止めされている。回路基板を基にして、手前側にマイナス電極端子６０とプラス電極端子６８とからなる電極端子対が設けられ、奥側にプラス電極端子６２とマイナス電極端子７０とからなる電極端子対が設けられている。
【００２２】
回路部品は回路基板上に配設された第１回路部品と、第１回路部品の直上に配設された第２回路部品とからなり、第１回路部品はコンデンサ８０とトランジスタ８４と、トランス８６等からなっている。また、第２回路部品はストロボ用メインコンデンサ８２等からなっている。コンデンサ８０、トランジスタ８４、トランス８６は回路基板５０の上に配されてハンダ付けされ、ストロボ用メインコンデンサ８２はコンデンサ８０と、トランジスタ８４と、トランス８６との直上に配置されて回路基板５０にハンダ付けされている。
【００２３】
回路基板５０にはストロボ発光部１１を発光させるためのストロボ回路が設けられており、各回路部品は回路基板５０の所定の位置にハンダ付けされている。コンデンサ８０、トランジスタ８４、トランス８６は回路基板を基にして手前側に配置されるようにハンダ付けされている。ストロボ用メインコンデンサ８２はストロボ発光部１１で行なわれる放電に使用する電力を貯蓄するためにサイズが大きい。このストロボ用メインコンデンサ８２をコンデンサ８０とトランジスタ８４とトランス８６との奥側に配設することで基板と垂直な方向のスペースを有効に使うことができる。
【００２４】
また、回路部品の下側には、電池格納箱６４に組み付けられるマイナス電極端子６０とプラス電極端子６２とがハンダ付けされており、電極端子と回路基板との距離が短いために、短い配線で回路基板５０に電力を供給することができる。
【００２５】
【発明の効果】
以上のように、本発明のカメラでは、一方の電極端子がパトローネ室側にあり他方の電極端子がフイルム室側にある電極端子対を、カメラ本体の底部であって被写体側から像面側に向かう方向に複数配列することにより、パトローネ室の外側、あるいはフイルム室の外側に電池を備えることがなくなり、カメラ本体の横方向の寸法を減らすことができる。このため縦と横の寸法を近づけることができ、正面が正多角形、もしくはこれに類する形状をした外装カバーをより小さなサイズにすることができる。また、回路部品が第１回路部品と第２回路部品とからなることにより、回路基板と略垂直な方向に回路部品を設けることができ、電極端子に沿って回路部品を組み込んでカメラをよりコンパクトにすることができる。
【図面の簡単な説明】
【図１】本発明を実施したカメラの斜視図である。
【図２】図１に示したカメラの分解斜視図である。
【図３】カメラ本体に裏蓋を組み付けたものを示した説明図である。
【図４】回路部品を実装した回路基板と、複数対の電極端子とを示す説明図である。
【符号の説明】
２  カメラ
５  撮影レンズ
２０  カメラ本体
２１  本体ベース
２４  回路ユニット
２７  レンズユニット
３３  前カバー
３５  裏蓋
３８  パトローネ室
３９  フイルム室
４１  暗箱
６４  電池格納箱
６０、７０  マイナス電極端子
６２、６８  プラス電極端子
【図１】
2004295041.tif 000003
【図２】
2004295041.tif 000004
【図３】
2004295041.tif 000005
【図４】
2004295041.tif 000006